(57)【要約】      （修正有）【課題】操作簡便、実用的な折畳み棚の構造の提供。【解決手段】２個の卓面板、該卓面板に連接する多数の垂直フレーム、水平フレームを含む。該各垂直フレームは適当な位置に横棒を設置し、該各横棒はそれぞれ軸管により設置される。該水平フレームは両横方向側に軸カバーをそれぞれ対応設置し、これにより２個の軸心とバネは軸管と該軸カバーに設置後、該垂直フレームと該水平フレームは可動接続する。しかも該軸心の定位作用は回転可能状であるため、使用時には該２個の卓面板を平らにし棚を構成し、こうして該２個の卓面板には物品を置くことができ、また該フレームが形成する空間には物置箱を設置することができる。使用しない時には、該２個の卓面板をそれぞれ下垂させ、回転可能な軸管と軸カバーにより、該垂直フレームと該水平フレームはそれぞれ内側に向かい合わさり扁平状を形成し、こうして運搬或いは収蔵を便利にする。【選択図】図１
0003130295.tif 000002
【実用新案登録請求の範囲】
【請求項１】
２個の卓面板、垂直フレーム、水平フレーム、２個の軸心、バネ、定位棒を含み、
該垂直フレームは適当な位置に横棒を設置し、該各横棒はそれぞれ軸管により設置され、該水平フレームは両横方向側に軸カバーをそれぞれ対応設置し、
該２個の軸心は該垂直フレーム軸管と該水平フレーム軸カバーの間に穿設し、
該バネは該２個の軸心間に設置し、
該定位棒は対角線で該前、後水平フレーム外縁に設置し、該定位棒は関節を設置しそれは湾折状を呈し、該関節においてロックを設置し、中央の適当な位置にはガードリングを設置し、
上記構成部品の組合せにより折畳み棚を構成し、使用時には該２個の卓面板を平らにし、該各垂直フレーム、該水平フレームのサポートにより卓面を備えた棚を構成し、こうして該２個の卓面板には物品を置き、また該垂直フレーム、該水平フレームが形成する空間には物置箱を設置することができ、
使用しない時に折畳む場合には、持ち手を上方へと引き上げると、該２個の卓面板はそれぞれ下垂し、回転可能な軸管と軸カバーにより、該垂直フレームと該水平フレームはそれぞれ内側に向かい合わさり扁平状を形成し、こうして運搬或いは収蔵を便利にし、しかもその折畳み操作は便利で迅速であることを特徴とする折畳み棚の構造。
【請求項２】
請求項１記載の折畳み棚の構造において、前記各水平フレームは該軸カバーの後端においては内側に向かい湾曲し、これにより２個の軸心とバネは該軸管と該軸カバーに設置され、さらに該各軸心は該湾折部分が構成する接触圧迫により、該軸心が外に向かい脱落することを防止することを特徴とする折畳み棚の構造。
【請求項３】
請求項１記載の折畳み棚の構造において、前記中央に設置する垂直フレームにはリング体を設置し、該定位棒はこれに穿設し、これにより卓面の使用時には該リング体の該定位棒のガードリングに対するガードにより、サポート定位を構成することを特徴とする折畳み棚の構造。
【請求項４】
請求項１記載の折畳み棚の構造において、前記中央に設置する垂直フレームの頂点縁には２個の卓面板の間隙より延伸する持ち手を設置し、折畳み時には該持ち手を上方へと引き上げると、該卓面板はそれぞれ下へと垂れ下がり、こうして折畳み操作が非常に便利かつ迅速になることを特徴とする折畳み棚の構造。
【請求項５】
請求項１記載の折畳み棚の構造において、前記水平フレームの後縁には２個或いは２個以上のガードリブを設置し、物置箱を入れる時に、該各ガードリブが構成するガードにより、該物置箱の後方への滑落を防止することを特徴とする折畳み棚の構造。
【考案の詳細な説明】
【技術分野】
【０００１】
本考案は一種の折畳み棚の構造に関する。特に一種の使用しない時には内側へと畳み扁平状を形成し、運搬或いは収蔵に便利で、しかも操作が簡易、便利な折畳み棚の構造に係る。
【背景技術】
【０００２】
一般の棚は固定の構造であるため、他の場所に移動させ使用する時には、運搬が非常に不便でしかも場所を取る。特に使用しない時には、体積が膨大であるため収蔵が困難である。
市場には折畳み可能な棚が販売されてはいるが、多くの折畳み可能な棚製品は構造が複雑で、しかも部品が多く、組立てが面倒であるばかりか、専門家ではない消費者にとっては困難で、分解時にも時間がかかるため、消費者に受け入れられにくい。
本申請人は上記欠点に鑑み、たゆまぬ研究、実験を経て改良を達成し、折畳み棚の操作をより簡易に便利にする。
【考案の開示】
【考案が解決しようとする課題】
【０００３】
本考案は折畳み棚の構造を提供し、棚を使用しない時には内側に向かい合わせに折畳み扁平状を形成し、運搬或いは収蔵を便利にし、しかもその操作は簡易で便利で、
すなわちそれは折畳み棚の構造を提供し、それは主に２個の卓面板、該卓面板に連接する多数の垂直フレーム、水平フレームを含み、
該各垂直フレームは適当な位置に横棒を設置し、該各横棒はそれぞれ軸管により設置され、
該水平フレームは両横方向側に軸カバーをそれぞれ対応設置し、これにより２個の軸心とバネは軸管と該軸カバーに設置後、該垂直フレームと該水平フレームは可動接続し、
しかも該軸心の定位作用は回転可能状であるため、使用時には該２個の卓面板を平らにし棚を構成し、こうして該２個の卓面板には物品を置くことができ、また該フレームが形成する空間には物置箱を設置することができ、
使用しない時には、該２個の卓面板をそれぞれ下垂させ、回転可能な軸管と軸カバーにより、該垂直フレームと該水平フレームはそれぞれ内側に向かい合わさり扁平状を形成し、こうして運搬或いは収蔵を便利にし、
該折畳み棚構造の該各水平フレームは該軸カバーの後端において内側へと湾折状を呈し、これにより該軸心と該バネは該軸管と該軸カバーに設置後、該各軸心は湾折部分により接触固定を構成し、該軸心の外への脱落を防止し、
該折畳み棚構造の該前、後水平フレームは斜め状の定位棒を設置し、該定位棒は湾折状で、中央に設置する垂直フレームにはリング体を設置し、該定位棒を穿設し、該棚を使用しない時には、該定位棒によりサポート定位を構成し、
該折畳み棚構造の中央に設置する垂直フレームは、その頂点縁に該２個の卓面板の間隙から延伸する持ち手を設置し、折畳む時には、該持ち手を上方へと引き上げると、該２個の卓面板は下垂し、こうして折畳み操作は便利で迅速となり、
該折畳み棚構造の該各水平フレームの後縁にはそれぞれ２個或いは２個以上のガードリブを設置し、該物置箱を入れる時に該各ガードリブによりガードを構成し、該物置箱の後方への滑落を防止する折畳み棚の構造を提供する。
【課題を解決するための手段】
【０００４】
請求項１の考案は、２個の卓面板、垂直フレーム、水平フレーム、２個の軸心、バネ、定位棒を含み、
該垂直フレームは適当な位置に横棒を設置し、該各横棒はそれぞれ軸管により設置され、該水平フレームは両横方向側に軸カバーをそれぞれ対応設置し、
該２個の軸心は該垂直フレーム軸管と該水平フレーム軸カバーの間に穿設し、
該バネは該２個の軸心間に設置し、
該定位棒は対角線で該前、後水平フレーム外縁に設置し、該定位棒は関節を設置しそれは湾折状を呈し、該関節においてロックを設置し、中央の適当な位置にはガードリングを設置し、
上記構成部品の組合せにより折畳み棚を構成し、使用時には該２個の卓面板を平らにし、該各垂直フレーム、該水平フレームのサポートにより卓面を備えた棚を構成し、こうして該２個の卓面板には物品を置き、また該垂直フレーム、該水平フレームが形成する空間には物置箱を設置することができ、
使用しない時に折畳む場合には、持ち手を上方へと引き上げると、該２個の卓面板はそれぞれ下垂し、回転可能な軸管と軸カバーにより、該垂直フレームと該水平フレームはそれぞれ内側に向かい合わさり扁平状を形成し、こうして運搬或いは収蔵を便利にし、しかもその折畳み操作は便利で迅速であることを特徴とする折畳み棚の構造としている。
請求項２の考案は、請求項１記載の折畳み棚の構造において、前記各水平フレームは該軸カバーの後端においては内側に向かい湾曲し、これにより２個の軸心とバネは該軸管と該軸カバーに設置され、さらに該各軸心は該湾折部分が構成する接触圧迫により、該軸心が外に向かい脱落することを防止することを特徴とする折畳み棚の構造としている。
請求項３の考案は、請求項１記載の折畳み棚の構造において、前記中央に設置する垂直フレームにはリング体を設置し、該定位棒はこれに穿設し、これにより卓面の使用時には該リング体の該定位棒のガードリングに対するガードにより、サポート定位を構成することを特徴とする折畳み棚の構造としている。
請求項４の考案は、請求項１記載の折畳み棚の構造において、前記中央に設置する垂直フレームの頂点縁には２個の卓面板の間隙より延伸する持ち手を設置し、折畳み時には該持ち手を上方へと引き上げると、該卓面板はそれぞれ下へと垂れ下がり、こうして折畳み操作が非常に便利かつ迅速になることを特徴とする折畳み棚の構造としている。
請求項５の考案は、請求項１記載の折畳み棚の構造において、前記水平フレームの後縁には２個或いは２個以上のガードリブを設置し、物置箱を入れる時に、該各ガードリブが構成するガードにより、該物置箱の後方への滑落を防止することを特徴とする折畳み棚の構造としている。
【考案の効果】
【０００５】
本考案は２個の卓面板に回転可能な多数の垂直フレームと水平フレームを組合せ構成する折畳み棚の構造で、これにより使用しない時には該棚体を内側へと合わせ畳み扁平状を形成し、運搬或いは収蔵の便を図る。しかも、その操作は簡易で、利便性が高く、非常に実用的である。
【考案を実施するための最良の形態】
【０００６】
図１、２、３、４に示すように、本考案は主に卓面板１、垂直フレーム２、水平フレーム３を含む。
該垂直フレーム２と該水平フレーム３は多数が該卓面板１に連接する（本実施例中では、３個の垂直フレーム２と４個の水平フレーム３を設置する）。
該垂直フレーム２は適当な位置に横棒２１を設置し、該各横棒２１はそれぞれ軸管２２により設置される。
該水平フレーム３は両横方向側に軸カバー３１をそれぞれ対応設置し、その後縁には２個或いは２個以上のガードリブ３２を設置する。しかも該軸カバー３１の後端は内側に向かい湾曲し、これにより２個の軸心４とバネ４１は該軸管２２と該軸カバー３１に設置され、さらに、該各軸心４は該バネ４１の圧迫と湾折部分が構成する接触圧迫により、該軸管２２と該軸カバー３１間に穿設される。しかも、湾折部分は該軸心４が外に向かい脱落することを防止し、こうして該垂直フレーム２と該水平フレーム３は可動接続される。かつ該軸心４の定位作用により該垂直フレーム２と該水平フレーム３は回転可能状態を呈する。
【０００７】
該前、後水平フレーム３外縁は対角線で斜め状の定位棒５を設置し、該定位棒５は関節５１を設置しそれは湾折状を呈し、該関節５１においてロック５２を設置し、中央の適当な位置にはガードリング５３を設置する。該中央に設置する垂直フレーム２にはリング体６を設置し、該定位棒５はこれに穿設する。
該中央に設置する垂直フレーム２の頂点縁には２個の卓面板１の間隙より延伸するコの字型の持ち手２３を設置する。
上記構成部品の組合せにより、折畳み棚を構成し、使用時には該２個の卓面板１を平らにし、該各垂直フレーム２、該水平フレーム３のサポートにより卓面を備えた棚を構成する。こうして該卓面板１には物品を置き、また該垂直フレーム２、該水平フレーム３が形成する空間には物置箱を設置することができる。
使用しない時に折畳む場合には、該持ち手２３を上方へと引き上げると、該２個の卓面板１はそれぞれ下垂し、回転可能な軸管２２と軸カバー３１により、該垂直フレーム２と該水平フレーム３はそれぞれ内側に向かい合わさり扁平状を形成する。こうして運搬或いは収蔵を便利にし、しかも折畳み操作は便利で迅速に行うことができる。
【０００８】
次に図５に示すように、本考案の使用時には、該卓面板１を平らにし、該各フレームを外へと向けて展開させる。こうして該各垂直フレーム２、該水平フレーム３のサポートにより卓面を備えた棚を構成することができ、該卓面板１に様々な物を置くことができるようになる。
この時、該斜め状の定位棒５がまっすぐに伸びた後、該ロック５２は下段の該定位棒５の棒体に係合し、該中央適当な位置のガードリング５３は該中央の垂直フレーム２のリング体６外縁を押さえ、こうして棚体同士のサポート定位を構成し、棚体の強度を向上させる。
続いて図６に示すように、本考案の該２個の卓面板１を平らにした後、該各フレームを外へと向けて展開させる。こうして該各垂直フレーム２、該水平フレーム３のサポートにより多数の収容空間を形成し、物置箱７に物品を入れた後、様々な物置箱７を該収容空間に置き、しかも該物置箱７を入れると、該水平フレーム３が設置するガードリブ３２はガードを構成し、該物置箱７が後方へと滑り落ちることはない。
【０００９】
さらに図７に示すように、使用しない時に折畳む場合には、該持ち手２３を上方へと引き上げると、該卓面板１はそれぞれ下へと垂れ下がり、回転可能な軸管２２と軸カバー３１は該垂直フレーム２と該水平フレーム３を内側に向けて合わせる。この時、該斜め状の定位棒５もまた該関節５１により湾折し、こうして構造全体は扁平状を形成し、運搬或いは収蔵が便利となる。しかも折畳み操作は非常に便利で、迅速に行うことができる。
【図面の簡単な説明】
【００１０】
【図１】本考案の折畳み棚の構造の立体図である。
【図２】本考案の折畳み棚の構造の垂直フレームと水平フレームが可動接続する立体分解図である。
【図３】本考案の折畳み棚の構造の垂直フレームと水平フレームが可動接続する断面図である。
【図４】本考案の折畳み棚の構造の定位棒の立体図である。
【図５】本考案の折畳み棚の構造の使用実施例図である。
【図６】本考案の折畳み棚の構造の物置箱の設置実施例図である。
【図７】本考案の折畳み棚の構造の折畳み実施例図である。
【符号の説明】
【００１１】
１  卓面板
２  垂直フレーム
２１  横棒
２２  軸管
２３  持ち手
３  水平フレーム
３１  軸カバー
３２  ガードリブ
４  軸心
４１  バネ
５  定位棒
５１  関節
５２  ロック
５３  ガードリング
６  リング体
７  物置箱
【図１】
0003130295.tif 000003
【図２】
0003130295.tif 000004
【図３】
0003130295.tif 000005
【図４】
0003130295.tif 000006
【図５】
0003130295.tif 000007
【図６】
0003130295.tif 000008
【図７】
0003130295.tif 000009